(57)【特許請求の範囲】
【請求項１】
情報記録再生媒体に光を照射する光源と、
前記光源から前記情報記録再生媒体に照射する光の最適記録パワーに関する値を取得する試し書き手段と、
前記試し書き手段により取得された前記最適記録パワーに関する値を記憶する不揮発性記憶手段と、
前記情報記録再生媒体に記録された情報を再生する再生手段と、
を備えた情報記録再生装置であって、
前記情報記録再生媒体を当該情報記録再生装置に再マウントする場合に、前記再生手段により前記情報記録再生媒体の既記録部を再生し、品質の評価を司る所定の品質評価パラメータを測定する再生品質評価手段と、
前記品質評価パラメータと前回記録時の品質評価パラメータの目標値との差分を算出する差分算出手段と、
前記差分に所定の係数を乗じた値を前記不揮発性記憶手段に記憶された前記最適記録パワーに関する値に加算し最適記録パワーに関する校正値を算出する校正値算出手段と、
前記最適記録パワーに関する校正値で記録を行う記録手段と、を設けたことを特徴とする情報記録再生装置。
【請求項２】
前記品質評価パラメータは、ＲＦ信号対称性を表す値であることを特徴とする請求項１に記載の情報記録再生装置。
【請求項３】
前記品質評価パラメータは、ＲＦ信号の変調度を表す値であることを特徴とする請求項１に記載の情報記録再生装置。
【請求項４】
前記品質評価パラメータは、ＲＦ信号の変調度から算出した規格化傾斜を表す値であることを特徴とする請求項１に記載の情報記録再生装置。
【請求項５】
前記既記録部は、前記記録手段により記録を開始するアドレスの直前のアドレスである請求項１〜４のいずれか一項に記載の情報記録再生装置。
【発明の詳細な説明】
【技術分野】
【０００１】
本発明は、情報記録再生装置に関する。
【背景技術】
【０００２】
光学的な情報記録再生装置において光学的情報記録再生媒体にデータを記録するためには最適な記録品質が得られるレーザパワーで記録することが必要である。このため、通常、例えばＣＤ−Ｒ（Ｃompact Ｄisc Ｒecordable）やＣＤ−ＲＷ（Ｃompact Ｄisc Ｒewritable）などの追記型又は書換え型の光学的情報記録再生媒体にはＰＣＡ（Ｐower Ｃalibration Ａrea＝パワーキャリブレーションエリア）と呼ばれるレーザパワー調整エリアがあり、記録装置はそのエリアでＯＰＣ（Ｏptimum Ｐower Ｃontrol）と呼ばれる記録レーザパワーの調整を行い、その結果得られたレーザパワーで記録を行うようにしている。
【０００３】
記録装置によっては、そのときのＯＰＣ結果を装置自身の持つ不揮発性メモリに保存しておき、一旦記録を終了した光学的情報記録再生媒体に対し追記を行う場合、ＰＣＡの節約（ＰＣＡは例えば試し書きを１００回だけ行えるように設定されているため）と時間短縮のため、追記時にはＯＰＣを行わず不揮発性メモリに保存していた前回のＯＰＣ結果＝記録パワーで記録するようにしたものがある（特開平１１−２５０４８１号公報中の従来例参照）。
【０００４】
しかし、不揮発性メモリに保存した記録パワーをそのまま用いると、光ピックアップの経時変化の他、記録媒体面の特性の不均一性、記録面温度の変化等の様々な要因によって、追記時に真の最適記録パワーからずれたレーザパワーで記録してしまうことがある。
【０００５】
このようなことから、上記特開平１１−２５０４８１号公報では、経時変化等による影響を避けるため、追記動作に先立ち、不揮発性メモリに保存しておいた記録パワーが適正であるか否かをその記録パワーで記録した部分の再生データを評価することにより判断し、適正範囲を越えて問題がある場合には、再度試し書きを行って改めて最適記録パワーを設定するようにしている。
【特許文献１】特開平１１−２５０４８１号公報
【発明の開示】
【発明が解決しようとする課題】
【０００６】
ところが、特開平１１−２５０４８１号公報例に示される対応策の場合、不揮発性メモリに保存しておいた記録パワーが適正範囲を越えて問題がある場合には、再度試し書きを行わなくてはならず、ＯＰＣを節約し、追記開始までの時間を短縮させるという初期の目的からすると、必ずしも好ましくないものである。
【０００７】
そこで、本発明は、当初に行って不揮発性メモリに記憶されたＯＰＣ結果を用いて、情報記録再生媒体を再マウントした際の追記時に再度試し書きを行う必要なく、記録パワーを適正に設定できる情報記録再生装置を提供することを目的とする。
【０００８】
また、再度試し書きを行うことなく設定する記録パワーの適正度を向上させ得る情報記録再生装置を提供することを目的とする。
【課題を解決するための手段】
【０００９】
本発明の一観点によれば、情報記録再生媒体に光を照射する光源と、前記光源から前記情報記録再生媒体に照射する光の最適記録パワーに関する値を取得する試し書き手段と、前記試し書き手段により取得された前記最適記録パワーに関する値を記憶する不揮発性記憶手段と、前記情報記録再生媒体に記録された情報を再生する再生手段と、を備えた情報記録再生装置であって、前記情報記録再生媒体を当該情報記録再生装置に再マウントする場合に、前記再生手段により前記情報記録再生媒体の既記録部を再生し、品質の評価を司る所定の品質評価パラメータを測定する再生品質評価手段と、前記品質評価パラメータと前回記録時の品質評価パラメータの目標値との差分を算出する差分算出手段と、前記差分に所定の係数を乗じた値を前記不揮発性記憶手段に記憶された前記最適記録パワーに関する値に加算し最適記録パワーに関する校正値を算出する校正値算出手段と、前記最適記録パワーに関する校正値で記録を行う記録手段と、を設けたことを特徴とする情報記録再生装置が提供される。
【００１０】
本発明によれば、情報記録再生媒体を情報記録再生装置に再マウントして追記を行う際に、以前記録した情報記録再生媒体の以前記録した記録部データ部領域を再生手段再生品質評価手段により再生してその再生品質を評価し、不揮発性記憶手段に記憶された最適記録パワーに関する値をその評価結果に基づき記録パワー校正手段パワー校正設定手段により校正して、校正された追記時の光源の記録パワーで記録を行に関する値を設定するうようにしたので、追記時に再度試し書きを行う必要なく、記録パワーを適正に設定することができる。
【発明の効果】
【００１１】
本発明によれば、当初に行って不揮発性メモリに記憶されたＯＰＣ結果を用いて、情報記録再生媒体を再マウントした際の追記時に再度試し書きを行う必要なく、記録パワーを適正に設定できる情報記録再生装置を提供できる。
【発明を実施するための最良の形態】
【００１２】
本発明の第一の実施の形態を図１ないし図３に基づいて説明する。本実施の形態は、情報記録再生媒体として記録可能な光ディスクであるＣＤ−Ｒ／ＲＷ（ＣＤ−Ｒecordable／Ｒewritable）１を対象とする情報記録再生装置への適用例を示す。図１はこの情報記録再生装置（ドライブ装置）の構成を示す概略ブロック図である。
【００１３】
光ディスク１はスピンドルモータ２によって回転駆動される。スピンドルモータ２はモータドライバ３とサーボ手段４とによって線速度一定（ＣＬＶ）又は回転数一定（ＣＡＶ）となるように制御される。光ピックアップ５は特に図示しない光源としての半導体レーザ、光学系、フォーカシングアクチュエータ、トラッキングアクチュエータ、受光素子、ポジションセンサ等を内蔵しており、レーザ光を光ディスク１の記録面に照射する。
【００１４】
光ピックアップ５はシークモータによりスレッジ方向（ディスク半径方向）に移動可能とされている。これらのフォーカシングアクチュエータ、トラッキングアクチュエータ、シークモータは受光素子やポジションセンサから得られる信号に基づきモータドライバ３とサーボ手段４とによってレーザスポットを光ディスク１上の目的の場所に位置させるように制御する。
【００１５】
データ再生時には、光ピックアップ５で得られた再生信号をリードアンプ６で増幅して２値化した後、ＣＤデコーダ７に入力してデインターリーブとエラー訂正の処理を行う。さらに、そのデインターリーブとエラー訂正の処理後のデータをＣＤ−ＲＯＭデコーダ８に入力してデータの信頼性を高めるためのエラー訂正処理を行う。
【００１６】
その後、ＣＤ−ＲＯＭデコーダ８で処理したデータをバッファマネージャ９によって一旦バッファＲＡＭ１０に蓄積し、セクタデータとして揃ったときにＡＴＡＰＩ／ＳＣＳＩインタフェース１１によってホスト側へ一気に転送する。また、音楽データの場合、ＣＤデコーダ７から出力されるデータをＤ／Ａコンバータ１２に入力してアナログのオーディオ信号を取り出す。
【００１７】
一方、データ記録時には、ＡＴＡＰＩ／ＳＣＳＩインタフェース１１によってホストから転送されたデータを受信すると、そのデータをバッファマネージャ９によって一旦バッファＲＡＭ１０に蓄積する。バッファＲＡＭ１０に或る程度のデータが溜まったときにライトを開始するが、その前にレーザスポットを書き込み開始地点に位置させる。その書き込み開始地点はトラックの蛇行によって予め光ディスク１に刻まれているウォブル信号によって求められる。そのウォブル信号にはＡＴＩＰと称する絶対時間情報が含まれており、ＡＴＩＰデコーダ１３によってＡＴＩＰの情報を取り出す。
【００１８】
また、ＡＴＩＰデコーダ１３が生成する同期信号はＣＤエンコーダ１４に入力されて正確な位置でのデータの書き出しを可能にしている。バッファＲＡＭ１０のデータは、ＣＤ−ＲＯＭエンコーダ１５やＣＤエンコーダ１４でエラー訂正コードの付加やインターリーブを行ってレーザコントロール回路１６、光ピックアップ５を介して光ディスク１に記録される。
【００１９】
このような情報記録再生装置は、上述の各部の動作を制御するとともに後述する各機能を実行するためのＣＰＵ１７、ＲＯＭ１８及びＲＡＭ１９からなるマイクロコンピュータ２０を備えている。また、２１は不揮発性メモリである。
【００２０】
ここに、ＣＤ−Ｒ／ＲＷなる光ディスク１のエリア構成を図２に示す。図２は、光ディスク１を半径方向に断面して示す構成図であり、内周側から外周側に向けて、ＰＣＡ３１、ＰＭＡ（Ｐrogram Ｍemory Ａrea）３２、リードインエリア３３、プログラム領域３４及び追記領域（Ｌead Ｏut）３５を有する。図２中、斜線を施して示す部分は、記録済部である。
【００２１】
このような構成において、本実施の形態の場合、ＰＣＡ３１を利用したＯＰＣにより当該光ディスク１に対する半導体レーザの記録パワーの適正値を予め不揮発性メモリ２１に保存しておく方式を前提とする。
【００２２】
即ち、データ記録時は、ＡＴＡＰＩ／ＳＣＳＩインタフェース１１を介しホストから送られてきたデータを一旦バッファＲＡＭ１０に蓄えてから記録を開始するが、過去に記録した光ディスク１で以前記録したときのＯＰＣ結果を不揮発性メモリ２１に既に記憶している場合を除き、記録前に当該光ディスク１のＰＣＡ３１エリアにおいてＯＰＣを行い半導体レーザの最適な記録パワーを求める必要がある。ＯＰＣのとき光ピックアップ５からの反射光に応じたデータ信号がリードアンプ６によって増幅され、ピーク及びボトム検出回路２２により、その上側ピークレベルｐｋと下側ピーク（ボトム）レベルｂｔが検出される。検出レベル信号はＡ／Ｄ変換された後、それを基にＣＰＵ１７などで以下に示すような方法で最適記録パワーを計算しレーザコントロール回路１６に記録パワーの指令を出す。
【００２３】
例えば、オレンジブックパートIIIにあるように書換え可能な光ディスクであるＣＤ−ＲＷのＯＰＣは、半導体レーザのレーザパワーを多段階に変えながら次式(１)で与えられる変調度ｍを求め、さらに変調度ｍと記録パワーの特性から次式(２)で与えられる規格化傾斜γを求める。この規格化傾斜γがγ＝γｔ（γｔはディスク固有の所定値）となるときの記録パワーＰｔを求めることでＯＰＣが実施される。
ｍ＝（ｐｋ−ｂｔ）／ｐｋ …………(１)
γ＝（Δｍ／Δｐ）＊（ｐ／ｍ） ……(２)
さらに、実際には記録パワーＰｔをそのまま最適記録パワーとして用いるのでなく、記録パワーＰｔにディスク固有の定数ρを乗じて、Ｐｔ＊ρを最適記録パワーとする方が好ましい場合がある。
【００２４】
また、追記型の光ディスクとしてはＣＤ−Ｒがあるが、この場合のＯＰＣはオレンジブックパートIIにあるように次式(３)で与えられるＲＦ信号対称性を表すβ値を測定し、βが目標値βtとなるパワーを求めることで最適記録パワーが決定される。
β＝（ｐｋ＋ｂｔ）／（ｐｋ−ｂｔ）………(３)
何れにしても、光ディスク１のＰＣＡ３１エリアに対する試し書きＯＰＣにより当該光ディスク１に対する半導体レーザの最適記録パワーに関する値を取得する試し書き手段としてのＯＰＣ機能及びＯＰＣにより取得された最適記録パワーに関する値Ｐｉを当該光ディスク１に対応付けて不揮発性記憶手段としての不揮発性メモリ２１に記憶しておくことを前提とする。この際、最適記録パワーに関する値Ｐｉと光ディスクとの対応付けは、前述した特開平１１−２５０４８１号公報中に示されているようにその光ディスクを識別するためのディスク識別コード等を利用すればよい。
【００２５】
このような前提の下、本実施の形態では、光ディスク１が当該情報記録再生装置にマウントされ追記指令があった場合にＣＰＵ１７により、再生品質評価手段及びパワー校正設定手段の機能が実行される。この点について、図３に示す概略フローチャートを参照して説明する。まず、当該情報記録再生装置に光ディスク１がマウントされると（ステップＳ１）、不揮発性メモリ２１に記憶されている当該光ディスク１に対応する最適記録パワーに応じた値Ｐｉを確認する（Ｓ２）。ついで、当該光ディスク１において追記しようとする追記アドレス直前の２セクタ分のデータ部領域を再生してその品質の評価を司るパラメータｍを測定する（Ｓ３）。ここに、再生信号の品質とは、ＣＤ−ＲＷの場合であれば変調度ｍ、ＣＤ−Ｒであればβであるが、これらを合わせてパラメータｍとする。そして、測定されたパラメータｍと前回記録時の目標値ｍｔとの大小関係を比較する（Ｓ４）。これらのステップＳ３及びＳ４の処理が、光ディスク１に対する追記時に、以前に記録したデータ部領域を再生してその品質を評価する再生品質評価手段の機能として実行される。
【００２６】
そして、ステップＳ４の評価結果に応じて最適記録パワーに関する値を校正する処理が行われる。ここに、目標値ｍｔをｍｔｌ＜ｍｔ＜ｍｔｈとしたとき、評価結果がｍ＞ｍｔｈの場合には、追記時の設定パワーに応じた値Ｐｗがｗ＝Ｐｉ−ｄＰとなるように校正し（Ｓ５）、ｍｔｌ＜ｍ＜ｍｔｈの場合には、Ｐｗ＝Ｐｉのままとし（Ｓ６）、ｍ＜ｍｔｌの場合にはＰｗ＝Ｐｉ＋ｄＰとなるように校正し（Ｓ７）、追記時の半導体レーザの記録パワーに関する値Ｐｗを設定して追記動作を行わせる（Ｓ８）。ここに、ステップＳ５〜Ｓ７の処理が、ステップＳ４の評価結果に応じて不揮発性メモリ２１に記憶された最適記録パワーに関する値Ｐｉを校正して追記時の半導体レーザの記録パワーに関する値Ｐｗを設定するパワー校正設定手段の機能として実行される。
【００２７】
ここで、注意する点は校正する値は記録パワーそのものだけではなく、記録パワーに応じた値である。例えば、前述した通りＣＤ−ＲＷの場合では、最適な記録パワーはＯＰＣで求まったＰｔではなく、Ｐｔにディスク固有の定数ρを乗じた値Ｐｔ＊ρを記録パワーＰｗとすることがあり、この場合にはＰｗそのものを校正するよりもＰｗに応じた値Ｐｔを校正する方がよいこともあるからである。
【００２８】
従って、本実施の形態によれば、光ディスク１に追記を行う際に、以前記録したデータ部領域を再生してその再生品質を評価し、不揮発性メモリ２１に記憶された最適記録パワーに関する値をその評価結果に基づき校正して追記時の半導体レーザの記録パワーに関する値を設定することで、追記時に再度試し書きを行う必要なく、記録パワーを適正に設定することができる。より具体的には、光ディスク１に追記を行う際に、以前記録したデータ部領域を再生してその品質の評価を司るパラメータｍを測定してそのパラメータｍの目標値ｍｔに対する大小関係を評価し、不揮発性メモリ２１に記憶された最適記録パワーに応じた値Ｐｉをその評価結果に応じて値Ｐｉに対して一定量ｄＰを加減算した値を追記時の半導体レーザの記録パワーに応じた値Ｐｗとして設定することで、追記時に再度試し書きを行う必要なく、記録パワーを適正に設定することができる。
【００２９】
本発明の第二の実施の形態を図４に基づいて説明する。第一の実施の形態で示した部分と同一部分は同一符号を用いて示し、説明も省略する（以降の実施の形態でも同様とする）。記録パワーを校正する具体的な方法として、第一の実施の形態では、目標値ｍｔに対して大きいか小さいかに応じて記録パワーに応じた値に一定量ｄＰを加減算するようにしたが、本実施の形態では、目標値ｍｔと測定値対応のパラメータｍとの差に一定量αを乗じた量ｄＰを記録パワーに応じた値に加えるようにしたものである。
【００３０】
まず、当該情報記録再生装置に光ディスク１がマウントされると（Ｓ１１）、不揮発性メモリ２１に記憶されている当該光ディスク１に対応する最適記録パワーに応じた値Ｐｉを確認する（Ｓ１２）。ついで、当該光ディスク１において追記しようとする追記アドレス直前の２セクタ分のデータ部領域を再生してその品質の評価を司るパラメータｍを測定する（Ｓ１３）。そして、測定されたパラメータｍと前回記録時の目標値ｍｔとの差ｍｔ−ｍを算出する。この差の算出を含むステップＳ１３の処理が、光ディスク１に対する追記時に、以前に記録したデータ部領域を再生してその品質を評価する再生品質評価手段の機能として実行される。
【００３１】
引き続き、これらの差ｍｔ−ｍをα倍（αは設計により設定された任意の一定数）した量ｄＰを、不揮発性メモリ２１に記憶されている値Ｐｉに加算する演算処理を行い、その演算結果を追記時の半導体レーザの記録パワーに応じた値Ｐｗとして校正し設定する（Ｓ１４）。このステップＳ１４の処理が、パワー校正設定手段の機能として実行される。
【００３２】
ステップＳ１４の処理に基づき、追記時の半導体レーザの記録パワーに関する値Ｐｗを設定して追記動作を行わせる（Ｓ１５）。
【００３３】
従って、基本的には第一の実施の形態の場合と同様であるが、特に、記憶された最適記録パワーに応じた値Ｐｉに対して、一定量を加算するのではなく、算出された差ｍｔ−ｍをα倍した量ｄＰを加算することで、最適値からのずれを吸収でき、より信頼性のある最適記録パワーを設定することができる。
【００３４】
本発明の第三の実施の形態を図５に基づいて説明する。本実施の形態は、光ディスク１に対する記録中にポーズし、一定時間経過後にそのポーズ個所からデータ書き込みをリスタートするポーズ／リスタート機能を有する情報記録再生装置への適用例を示す。
【００３５】
一般に、情報記録再生装置では、データ書き込み中に一時停止しないようにしており、ホストから当該情報記録再生装置の書き込み速度以上の転送レートでデータを送らないと書き込みが中断してしまい、次にデータを書き足すことができなくなって書き込みに失敗してしまう。このような現象を一般に“バッファアンダーラン”と称している。このようなバッファアンダーランを防止するために、光ディスクに対するデータの書き込み中にホストからのデータ転送が間に合わないときはデータ書き込みを一時停止し（ポーズ）、ホストからのデータが十分に送られてきたときにデータ書き込みを再開（リスタート）させるポーズ／リスタート機能を持たせた情報記録再生装置があり、例えば、特開平１０−４９９９０号公報や特開２０００−４０３０２号公報などにより知られている。概略的には、ユーザデータブロックを書き始めてバッファＲＡＭ１０のデータが残り少なくなると、ポーズライトを実行することで書き込みを一時停止する（ポーズ）。その後、ホストからのデータ転送を待ち、バッファＲＡＭ１０がデータで一杯になったときにリスタートライトを実行し、ポーズライトでデータ書き込みを一時停止した個所から続けてデータを書き始めさせるものである。ここに、データ書き込みの終点及び始点部分でクロスインタリーブリードソロモン（ＣＩＲＣ）復調によるデータ連続性を維持する書き込みを行うことで、光ディスク１に対してデータの書き込みの一時停止（ポーズ）と再開（リスタート）とを行っても、そのデータを後から連続的かつ正確に読み出すことができる。
【００３６】
本実施の形態では、このようなポーズ／リスタート機能を持たせた情報記録再生装置について、ポーズ中の時間を利用して再生品質評価手段を機能させて記録パワーを校正するようにしたものである。
【００３７】
即ち、光ディスク１に対する記録中に記録ポーズが生じた場合（Ｓ２１）、リスタートする前のポーズ中に、ポーズ直前の記録品質を測定する（Ｓ２２）。このステップＳ２２の処理が再生品質評価手段の機能として実行される。具体的には、前述した実施の形態のステップＳ３，Ｓ４やＳ１３の場合と同様に、以前に記録したデータ部領域を再生してその品質を評価することにより行われる。この結果に基づき、リスタート時の次記録時のパワーが適正であるかを判断し、適宜校正する処理を行う（Ｓ２３）。このステップＳ２３の処理が前述した実施の形態のステップＳ５〜Ｓ７やＳ１４の場合と同様に、パワー校正設定手段の機能として実行される。
【００３８】
ステップＳ２３の処理に基づき、リスタート時の半導体レーザの記録パワーに関する値Ｐｗを設定してリスタートによる追記動作を行わせる（Ｓ２４）。
【００３９】
従って、本実施の形態によれば、このようなバッファアンダーランによる記録エラーを防止するためにポーズ／リスタート機能を持たせた情報記録再生装置について、ポーズ中の時間を利用して再生品質評価手段を機能させて記録パワーを校正することで、リスタート時に最適な記録パワーで記録を行わせることができる。
【００４０】
本発明の第四の実施の形態を図６に基づいて説明する。本実施の形態は、基本的には前述の第三の実施の形態と同様であるが、ポーズ／リスタート機能を利用しつつホストからのデータ転送量の不足等による本来のポーズ事由を待つことなく、所定周期毎に強制的に記録動作をポーズさせて、そのリスタート時に再生品質評価手段を機能させて定期的に記録パワーを校正させるようにしたものである。
【００４１】
即ち、所定周期として１分経過する毎に（Ｓ２５）、光ディスク１に対する記録中に記録をポーズさせ（Ｓ２１）、リスタートする前のポーズ中に、ポーズ直前の記録品質を測定する（Ｓ２２）。このステップＳ２２の処理が再生品質評価手段の機能として実行される。具体的には、前述した実施の形態のステップＳ３，Ｓ４やＳ１３の場合と同様に、以前に記録したデータ部領域としてポーズ直前の２セクタ分を再生してその品質を評価することにより行われる。この結果に基づき、リスタート時の次記録時のパワーが適正であるかを判断し、適宜校正する処理を行う（Ｓ２３）。このステップＳ２３の処理が前述した実施の形態のステップＳ５〜Ｓ７やＳ１４の場合と同様に、パワー校正設定手段の機能として実行される。
【００４２】
このように、本実施の形態によれば、リスタート時に最適な記録パワーで安定して記録を行わせることができる。この際、ステップＳ２２における２セクタ分の再生にシーク時間も含めて１０ｍｓ程度要するとしても、オーバヘッドは殆ど問題にならないレベルとなる。結果として、ランニングＯＰＣができない場合やＣＡＶ記録方式の場合にも非常に有効である。ランニングＯＰＣ記録しながらＲＦ信号レベルを測定することにより記録動作を行いつつ最適記録パワー制御を行う方法であるが、ＣＤ−ＲＷのように記録パルス幅が短く記録中のＲＦ信号レベルのサンプリングが難しい場合などは実施が困難であるが、本実施の形態の場合であれば周期的な記録パワーの校正により最適記録パワーの制御を適正に行える。また、記録位置に応じて最適記録パワーが変化するＣＡＶ記録方式でも利用できる。
【００４３】
なお、本実施の形態では、１分経過毎に強制的にポーズを行わせるようにしたが、光ディスク１が或る回転数回転する毎に強制的にポーズさせるようにしてもよい。
【００４４】
本発明の第五の実施の形態を図７に基づいて説明する。本実施の形態は、基本的には前述の第三、第四の実施の形態と同様に、ポーズ／リスタート機能を利用するものであるが、さらにポーズ前に実際に記録パワー等の記録品質に影響を与える量を振りながら記録することで簡易的なＯＰＣを行わせるようにしたものである。
【００４５】
本実施の形態では、光ディスク１が１００回転する毎に（Ｓ３６のＹ）、記録動作をポーズさせる（Ｓ３２）例であり、その記録ポーズ直前にそのデータ部領域の９セクタに対して、３セクタずつ記録パワーを３点（３段階）に振って記録を行わせる（Ｓ３１）。このステップＳ３１の処理が、ポーズ動作制御手段の機能として実行される。この際、記録パワーを３点に変化させることにより、変化させた個所の再生ができなくなってしまうレベルまで変化させることのないように制限する必要がある。そして、強制的なポーズの後に（Ｓ３２）、ポーズ直前に記録した９セクタ分について再生を行い、その品質を測定する（Ｓ３３）。このステップＳ３３の処理が再生品質評価手段の機能として実行される。具体的には、前述した実施の形態のステップＳ３，Ｓ４やＳ１３の場合と同様であるが、本実施の形態の場合には、特に直前に記録したデータ部領域９セクタ分を再生してその品質を評価することにより行われる。この結果に基づき、リスタート時の次記録時の最適記録パワーを計算することにより、記録パワーの校正処理を行う（Ｓ３４）。このステップＳ３４の処理が前述した実施の形態のステップＳ５〜Ｓ７やＳ１４の場合と同様に、パワー校正設定手段の機能として実行されるが、特に、本実施の形態では、３段階に振られた記録パワーの値が考慮されるので、より最適な記録パワーへの校正が可能となる。
【００４６】
ステップＳ３４の処理に基づき、リスタート時の半導体レーザの記録パワーに関する値Ｐｗを設定してリスタートによる追記動作を行わせる（Ｓ３５）。
【００４７】
本発明の第六の実施の形態を図８及び図９に基づいて説明する。本実施の形態は、パケットライトによる記録再生機能を有する情報記録再生装置への適用例を示す。
【００４８】
一般に、この種の情報記録再生装置では、例えば、特開２０００−４０３０２号公報中に示されるように、記録単位をパケット単位とするパケットライトによる記録再生機能を持たせたものがある。このようなパケット単位の場合、そのデータ長が長いこともあり、パケットライト時の媒体面温度の変化や光源パワーの制御のばらつき等によって、記録パワーが最適値からずれてしまうことがある。そこで、本実施の形態では、第二の実施の形態の場合に準じて、或るパケットに対する追記時に、以前に記録したパケットのデータ部領域を再生してその品質を評価して、最適な記録パワーに校正するようにしたものである。
【００４９】
まず、当該情報記録再生装置に光ディスク１がマウントされると（Ｓ４１）、不揮発性メモリ２１に記憶されている当該光ディスク１に対応する最適記録パワーを確認する（Ｓ４２）。ついで、当該光ディスク１において前回記録したパケットの終了直前の２セクタ分のデータ部領域を再生してその品質を評価する（Ｓ４３）。このステップＳ４３の処理が再生品質評価手段の機能として実行される。具体的には、前述した実施の形態のステップＳ３，Ｓ４やＳ１３の場合と同様に、再生した２セクタ分の品質を評価することにより行われる。
【００５０】
この結果に基づき、次のパケットに対する記録時のパワーが適正であるかを判断し、適宜校正する処理を行う（Ｓ４４）。このステップＳ４４の処理が前述した実施の形態のステップＳ５〜Ｓ７やＳ１４の場合と同様に、パワー校正設定手段の機能として実行される。
【００５１】
ステップＳ４４の処理に基づき、次のパケット記録時の半導体レーザの記録パワーを設定して追記動作を行わせる（Ｓ４５）。
【００５２】
ここに、ＣＤ−ＲやＣＤ−ＲＷで用いられているパケットにはデータ長が固定の固定長パケットとデータ長がパケット毎に一定でない可変長パケットとがある。図９にオレンジブックに規定されているパケット３６の構成を示す。パケット３６の終わりはＲun-Ｏut３７という２セクタがあり、その後にＬink部３８の１セクタのうち２６ＥＦＭフレームを記録して終了する。追記するときの繋ぎ目にはＬink部３８、Ｒun-Ｉn（４セクタ）３９の後にユーザデータ部４０があるが、例えばＬink部３８の前のＲun-Ｏut３７の２セクタでステップＳ４３による記録品質を測定し、Ｌink部３８からの記録パワーを校正することで記録パワーを最適に保つことができる。
【００５３】
このように、本実施の形態によれば、或るパケットに対する追記時に、以前に記録したパケットのデータ部領域を再生してその品質を評価して、最適な記録パワーに校正することで、このようなパケットライトによる記録再生機能を持たせた情報記録再生装置に関しても、最適な記録パワーで或るパケットに対する追記動作を適正に行わせることができる。
【００５４】
なお、特に図示しないが、パケットライトによる記録再生機能を持たせた情報記録再生装置の場合にも、第五の実施の形態の場合に準じて、或るパケットの記録を終了する前にパケットライト動作制御手段により記録品質に影響を及ぼすパラメータをその時のデータ部領域の再生品質に影響を及ぼさない範囲で段階的に変化させて記録させ、次のパケットの記録開始前に、段階的に変化させて記録したデータ部領域を再生してその品質を評価するようにしてもよい。これによれば、記録中のポーズ／リスタートを行う機能を持たない装置でも実施でき、信頼性のある最適記録パワーでパケット記録を続けることができる。
【図面の簡単な説明】
【００５５】
【図１】本発明の第一の実施の形態の情報記録再生装置の構成例を示すブロック図である。
【図２】光ディスクのエリア構成を示す断面図である。
【図３】記録パワーの設定処理例を示す概略フローチャートである。
【図４】本発明の第二の実施の形態の記録パワーの設定処理例を示す概略フローチャートである。
【図５】本発明の第三の実施の形態の記録パワーの設定処理例を示す概略フローチャートである。
【図６】本発明の第四の実施の形態の記録パワーの設定処理例を示す概略フローチャートである。
【図７】本発明の第五の実施の形態の記録パワーの設定処理例を示す概略フローチャートである。
【図８】本発明の第六の実施の形態の記録パワーの設定処理例を示す概略フローチャートである。
【図９】パケット構成を示す説明図である。
【符号の説明】
【００５６】
１      情報記録再生媒体
２１      不揮発性記憶手段
３１      パワーキャリブレーションエリア
Ｓ３，Ｓ４      再生品質評価手段
Ｓ５〜Ｓ７      パワー校正設定手段
Ｓ１３      再生品質評価手段
Ｓ１４      パワー校正設定手段
Ｓ２２      再生品質評価手段
Ｓ２３      パワー校正設定手段
Ｓ３１      ポーズ動作制御手段
Ｓ３３      再生品質評価手段
Ｓ３４      パワー校正設定手段
【図１】
0004173510.tif 000002
【図２】
0004173510.tif 000003
【図３】
0004173510.tif 000004
【図４】
0004173510.tif 000005
【図５】
0004173510.tif 000006
【図６】
0004173510.tif 000007
【図７】
0004173510.tif 000008
【図８】
0004173510.tif 000009
【図９】
0004173510.tif 000010